(57)【特許請求の範囲】
【請求項１】
複数の給紙トレイを備え、スキャンされた複数ページからなる原稿資料の画像データを給紙トレイに収納されている用紙に転写して画像を形成させる画像形成装置において、
画像形成時の動作条件を入力する入力部と、
異なる分類符号が付された複数の原稿資料を１度のコピー動作でスキャンし、そのスキャンされた複数の原稿資料の画像データを順次記録する画像メモリと、
前記コピー動作中に、原稿資料中の所定の領域にある分類符号をページ毎にスキャンし、そのスキャンされた分類符号を前記画像メモリに記録された原稿資料の画像データと対応づけて複数記録する分類読取記録部と、
前記入力部で分類揃が指定された場合、スキャンされた画像データを転写紙に転写させる際に、前記分類読取記録部に記録されている分類符号をサーチし、各分類符号毎に画像データを並び替えることにより、異なる分類符号が付された原稿資料は所定の順に並び替えられるとともに、同一の分類符号が付けられた原稿資料はスキャンされた順に連続して画像形成させる分類揃部と、
を備えたことを特徴とする画像形成装置。
【請求項２】
前記分類揃部が、各分類符号毎に並び替えて画像形成するとき、異なる分類の画像形成時には画像が形成されていない転写紙を挿入するようにしたことを特徴とする請求項１記載の画像形成増置。
【請求項３】
前記分類揃部が、各分類符号毎に並び替えて画像形成するとき、異なる分類の画像形成時には分類符号を画像形成した転写紙を挿入するようにしたことを特徴とする請求項１記載の画像形成装置。
【請求項４】
前記画像メモリに記録されて原稿画像データを０度または１８０度回転して読出す画像回転部を設け、
前記分類揃部が、各分類符号毎に並び替えて画像形成するとき、異なる分類の画像形成時には前記画像回転部の画像回転を１８０度反転させて読出し画像形成させるようにしたことを特徴とする請求項１記載の画像形成装置。
【請求項５】
前記複数のトレイに収納されている転写紙のサイズおよび収納方向を検出する収納検出部と、
前記画像メモリに記録されている原稿画像データを０度または９０度回転して読出す画像回転部と、
を設け、
前記分類揃部が、各分類符号毎に並び替えて画像形成するとき、異なる分類の画像形成時には前記画像回転部の画像回転を９０度回転させると共に前記収納検出部で検出された同一サイズで画像回転と対応した方向に収納されているトレイの転写紙を取出して画像形成させる、
ようにしたことを特徴とする請求項１記載の画像形成装置。
【請求項６】
前記分類揃部が、各分類符号毎に並び替えて画像形成するとき、異なる分類の画像形成時には排出トレイを左右にシフトして画像形成させるようにしたことを特徴とする請求項１記載の画像形成装置。
【発明の詳細な説明】
【０００１】
【産業上の利用分野】
本発明はスキャンされた原稿画像データを用紙に転写して画像を形成させる画像形成装置に関する。
【０００２】
【従来の技術】
現在の画像形成装置（例えば複写機）においては図２に示すような入力表示部があり、コピー条件を入力して複写を行なっている。
入力表示部２は、図２に示されるように、コピー枚数を入力するテンキー２１、操作の状態やメッセージ等を表示する液晶表示画面２２、操作の機能や仕方を表示するモードに移行させるガイダンスキー２３、設定の登録や呼出しを行うプログラムキー２４、入力誤りの訂正や動作を中断させるクリアストップキー２５、液晶表示画面（タッチパネル）２２の輝度を調整する輝度調整つまみ２６、モードクリア・余熱／タイマキー２７、割込動作の開始指令を入力する割込キー２８、コピー動作を開始させるスタートキー２９で構成されている。
【０００３】
また、液晶表示画面２２は、図３に一例を示すように、「コピーできます」、「おまちください」等のメッセージを表示するメッセージエリア２２−１、上段にセットした枚数、下段にコピーした枚数を表示するコピー枚数表示部２２−２、画像濃度を調整する濃度調節キー２２−３、コピー用紙を選択する用紙選択キー２２−４、転写紙サイズに合せて自動的に拡大／縮小を行なわす用紙指定変倍キー２２−５、ソートキー２２−６、スタックキー２２−７、ステープルキー２２−８、特殊原稿送りキー２２−９、変倍キー２２−１０、両面／ページ連写キー２２−１１、消去／移動キー２２−１２、表紙／合紙キー２２−１３が表示される。また２２−１４は後で説明する本発明のために設けられた分類揃キーである。
【０００４】
なお２２−３〜２２−１４の各種キーはタッチパネル構成となっており、表示されている画面を指でタッチすることによって表示されている事項が入力されるようになっており、入力されると表示画面が変化する。
図３ではＡ４横の用紙がコピー用紙として選択入力されたことを示している。また、「Ａ４横」、「Ａ４縦」、「Ｂ５横」、「Ｂ４縦」及び「Ａ３縦」の表示は、コピーする用紙を収納する給紙トレイが５個あり、各トレイに収納されている用紙のサイズおよび方向を検出して表示されるようになっている。
【０００５】
「自動用紙選択」が選択されると、コピーする原稿と同一サイズで同一方向の用紙が選択されてコピーが行なわれる。
また、「ソート」を指定すると、図１２（Ｆ）に示すように、コピー１部が終了すると排出トレイが横にシフトして次のコピーが行なわれ、各部毎の区分けが行なわれる。また、ソートが回転ソートの場合は、図１２（Ｅ）に示すように、各部毎に同一サイズの収納方向が９０度異なる用紙が選択され、スキャンされて記録されている原稿画像データを用紙の方向に対応させて回転してコピーが行なわれる。
【０００６】
【発明が解決しようとする課題】
このような画像形成装置を使用して、例えば図１１に示すように、分類符号Ａ１０３が記載された資料▲１▼、Ａ１０２が記載された資料▲２▼、Ａ１０３が記載された資料▲３▼、Ａ１０２が記載された資料▲４▼およびＡ１０１が記載された資料▲５▼を一度に原稿台に載置してコピーを行うことがある。
【０００７】
このように色々の分類符号が記載された複数の資料を一度にコピーした場合は、排出トレイには原稿台に載置した原稿と同じ順序で画像形成された転写紙が排出される。
したがって、排出トレイに排出されたコピーを各分類符号毎に分ける場合は、人手によって分類符号を確認しながら図１２（Ａ）に示すように並び替えを行う必要があり、作業が非常に繁雑になると言う問題があった。
【０００８】
本発明は分類毎の仕分けを容易に行なえるよう改良した画像形成装置を提供することを課題とする。
【０００９】
【課題を解決するための手段】
前述の課題を解決するために本発明が採用した手段を説明する。
第１の発明においては、複数の給紙トレイを備え、スキャンされた複数ページからなる原稿資料の画像データを給紙トレイに収納されている用紙に転写して画像を形成させる画像形成装置において、
画像形成時の動作条件を入力する入力部と、
異なる分類符号が付された複数の原稿資料を１度のコピー動作でスキャンし、そのスキャンされた複数の原稿資料の画像データを順次記録する画像メモリと、
前記コピー動作中に、原稿資料中の所定の領域にある分類符号をページ毎にスキャンし、そのスキャンされた分類符号を前記画像メモリに記録された原稿資料の画像データと対応づけて複数記録する分類読取記録部と、
前記入力部で分類揃が指定された場合、スキャンされた画像データを転写紙に転写させる際に、前記分類読取記録部に記録されている分類符号をサーチし、各分類符号毎に画像データを並び替えることにより、異なる分類符号が付された原稿資料は所定の順に並び替えられるとともに、同一の分類符号が付けられた原稿資料はスキャンされた順に連続して画像形成させる分類揃部と、
を備える。
【００１０】
画像メモリにはスキャンされた複数ページからなる原稿資料の画像データが順次記録される。
分類読取記録部は原稿中の所定の領域にある分類符号をページ毎にスキャンし、そのスキャンされた分類符号を前記画像メモリに記録された原稿資料の画像データと対応づけて複数記録する。
分類揃部は前記入力部で分類揃が指定された場合、スキャンされた画像データを転写紙に転写させる際に、前記分類読取記録部に記録されている分類符号をサーチし、各分類符号毎に画像データを並び替えることにより、異なる分類符号が付された原稿資料は所定の順に並び替えられるとともに、同一の分類符号が付けられた原稿資料はスキャンされた順に連続して画像形成させる。
【００１１】
このように、スキャンされて記録されている複数ページからなる原稿資料の画像データと対応づけて原稿に記載されている分類符号をスキャンして記録させ、画像形成時に各分類符号毎に画像データを並び替えることにより、異なる分類符号が付された原稿資料は所定の順に並び替えられるとともに、同一の分類符号が付けられた原稿資料はスキャンされた順に連続して画像形成させるようにしたので、分類符号毎に並び替えを人手で行う必要がなくなる。
【００１２】
第２の発明においては、前記分類揃部が、各分類符号毎に並び替えて画像形成するとき、異なる分類の画像形成時には画像が形成されていない転写紙を挿入する。
このように、分類符号が異なる資料と資料との間に転写紙を挿入するようにしたので、分類毎の仕分けを容易に行うことができる。
【００１３】
第３の発明においては、前記分類揃部が、各分類符号毎に並び替えて画像形成するとき、異なる分類の画像形成時には分類符号を画像形成した転写紙を挿入する。
このように、分類符号が異なる資料と資料との間に分類符号をコピーした転写紙を挿入するようにしたので、分類毎の仕分けが容易になると共に仕分けされた資料がどの分類であるかを容易に認識することができる。
【００１４】
第４の発明においては、前記画像メモリに記録されて原稿画像データを０度または１８０度回転して読出す画像回転部を設け、
前記分類揃部が、各分類符号毎に並び替えて画像形成するとき、異なる分類の画像形成時には前記画像回転部の画像回転を１８０度反転させて読出し画像形成させる。
【００１５】
このように、分類符号の異なる資料と資料とでは画像形成を１８０度異なるようにしたので、分類毎の仕分けを容易に行うことができる。
第５の発明においては、前記複数のトレイに収納されている転写紙のサイズおよび収納方向を検出する収納検出部と、
前記画像メモリに記録されている原稿画像データを０度または９０度回転して読出す画像回転部と、
を設け、
前記分類揃部が、各分類符号毎に並び替えて画像形成するとき、異なる分類の画像形成時には前記画像回転部の画像回転を９０度回転させると共に前記収納検出部で検出された同一サイズで画像回転と対応した方向に収納されているトレイの転写紙を取出して画像形成させる。
【００１６】
このように、分類符号の異なる資料と資料とでは画像形成を互に９０度異なるようにしたので、分類毎の仕分けを容易に行うことができる。
また第６の発明においては、前記分類揃部が、各分類符号毎に並び替えて画像形成するとき、異なる分類の画像形成時には排出トレイを左右にシフトして画像形成させる。
【００１７】
このように、分類符号の異なる資料と資料とでは排出トレイを左右にシフトするようにしたので、分類毎の仕分けを容易に行うことができる。
【００１８】
【発明の実施の形態】
本発明の一実施の形態を図１〜図５を参照して説明する。
図１は本発明の実施例の構成図、図２は同実施例の入力表示部の具体例、図３は同入力表示部の液晶表示画面の具体例、図４〜図５は第１の実施例の動作フローチャートである。
【００１９】
図１において、１はスキャンされてディジタルデータに変換された原稿画像データを記録する画像メモリ、２はコピー条件等を入力表示する入力表示部、３は用紙に転写するとき画像メモリ１に記録されている原稿データを回転して読出する画像回転部、４は制御部、５は分類読取記録部、６は分類揃部、７は原稿をスキャンするスキャン部、８は転写定着部、９は排出トレイ、１０は給紙トレイ、１１は収納検出部、１２はインタフェース（Ｉ／Ｏ）、１３は処理を行なうプロセッサ（ＣＰＵ）である。
【００２０】
分類読取記録部５は原稿の所定の領域にある分類符号を読取って記録する。また収納検出部１１は給紙トレイに収納されている用紙のサイズ、収納方向および用紙なしを検出して出力する。
入力表示部２は従来例で図２および図３で説明した通りのもので構成される。
【００２１】
次に、図４〜図５を参照して、第１の実施例の動作を説明する。
ステップＳ１では、入力表示部２よりコピー条件を入力し、入力が終了するとステップＳ２に移って入力表示部のスタートキー２９を押下してコピー動作を開始させる。
【００２２】
ステップＳ３では、制御部４は、ステップＳ１で図３に示す分類揃キー２２−１４が押下されたか否かを判定し、押下されていない場合はステップＳ４に移って通常のコピー処理を行う。
分類揃キー２２−１４が押下されていた場合はステップＳ５に移り、制御部４はスキャン部７に指令して、原稿台に載置されている原稿の第１頁をスキャンする。スキャンされた原稿画像データはステップＳ６に移って画像メモリ１に順次記録される。
【００２３】
ステップＳ７では、分類読取記録部５は、原稿の所定の領域に記載されている分類符号を読取って画像メモリ１に記録されている原稿画像データと対応づけて記録し、ステップＳ８に移って、未だスキャンされていない原稿が原稿台に有る場合はステップＳ５に移ってステップＳ５〜Ｓ８が繰返えされる。
【００２４】
図１３は、図１１で示す原稿に対して分類読取記録部５が分類符号を読取って記録した状態の具体例を示している。
すなわち、原稿台には、図１１に示すように、下より分類符号Ａ１０１の資料▲１▼が３頁、Ａ１０２の資料▲４▼が２頁、Ａ１０３の資料▲３▼が３頁、Ａ１０２の資料▲２▼が２頁およびＡ１０３の資料▲１▼が２頁載置されている。
【００２５】
分類符号Ａ１０１〜Ａ１０３等は全ての原稿に記載するようにしてもよいし、また資料毎の最初の頁のみに記載するようにしてもよいが、いづれの場合も記載する位置を決めておく。図１１の場合は資料の最初の頁の左上に記載するようにしている。
【００２６】
図１１に示す原稿を下より順次スキャンして分類符号を読取って記録した具体例を図１３に示す。すなわち、分類符号は資料の最初の頁のみにしか記載されていないので、スキャンの第３頁でＡ１０１が読取られて記録され、順次、第５頁でＡ１０２が、第８頁でＡ１０３が、第１０頁でＡ１０２が、また第１２頁でＡ１０３が記録される。
【００２７】
なお分類符号としてはＡ１０１〜Ａ１０３のような英数字の他にバーコード等であっても良い。
また分類符号の読取はスキャンされたデータより読取るようにしても良いし、別に読取器を設けて読取るようにしても良い。
【００２８】
ステップＳ９では、分類揃部６は、分類読取記録部５に記録されている最初の分類符号であるＡ１０１（第２ｎ−１（ｎ＝１）番の分類記号）のコピーを制御部４に指令し、制御部４は、第１頁の画像データを画像メモリ１より読出し、ステップＳ１０に移って転写定着部８で画像形成させ、ステップＳ１１に移って排出トレイ９に搬送する。
【００２９】
ステップＳ１２では最初の分類符号Ａ１０１の資料▲５▼で未形成画像データが有るか否かを判断し、有る場合はステップＳ９に移ってステップＳ９〜Ｓ１２が繰返えされる。図１１および図１３で示す場合は最初の資料▲５▼が３頁あるので３回繰返えされる。
【００３０】
ステップＳ１３では、分類揃部６は、最初の分類符号（第２ｎ−１（ｎ＝１）番の分類符号）と同一分類符号の画像データがあるか無いかを分類読取記録部５の記録をサーチして判定し、ＹＥＳの場合はステップＳ９に移ってステップＳ９〜Ｓ１３が繰返えされる。
【００３１】
図１３で示す場合は、最初の分類符号Ａ１０１と同一の資料が無いのでステップＳ１５に移る。
ステップＳ１４では、分類揃部６は、分類読取記録部５の記録をサーチし、次の分類符号である第２ｎ（ｎ＝１）番の未形成の画像データが有るか否かを判定し、判定がＮＯの場合はステップＳ１に移って次のコピーを待機する。
【００３２】
ステップＳ１５では、分類揃部６は、分類読取記録部５に記録されている次の分類符号であるＡ１０２（第２ｎ（ｎ＝１）番の分類符号）のコピーを制御部４に指令し、制御部４は第４頁の画像データを画像メモリ１より読出し、ステップＳ１６に移って転写定着部８で画像形成させ、ステップＳ１７に移って排出トレイ９に搬送し、未形成画像データが有る場合はステップＳ１５に移ってステップＳ１５〜Ｓ１８が繰返えされる。
【００３３】
ステップＳ１９では、分類揃部６は、第２ｎ（ｎ＝１）番の分類符号と同一分類符号の資料があるか無いかを分類読取記録部５の記録をサーチして判定し、ＹＥＳの場合はステップＳ１５に移ってステップＳ１５〜Ｓ１９が繰返えされる。図１３で示す場合は、分類符号Ａ１０２が第９頁と第１０頁にあるので、第４頁および第５頁に続いて第９頁および第１０頁がコピーされる。
【００３４】
ステップＳ２０では、分類揃部６は、分類読取記録部５の記録をサーチし、次の分類符号であるｎを１増加した第２ｎ−１（ｎ＝２）番の未形成の画像データがあるか否かを判定し、判定がＹＥＳならばステップＳ９に移り、ステップＳ９〜Ｓ２０が繰返えされ、判定がＮＯならばステップＳ１に移って次のコピーを待機する。
【００３５】
以上説明したフローに従って画像形成された結果は、図１２（Ａ）に示すように、同一分類符号の資料が揃えられて排出トレイに搬送されて載置される。
つぎに、図６の動作フローチャートを参照して、本発明の第２の実施例を説明する。
【００３６】
第２の実施例では、図４および図５で説明した第１の実施例の動作フローチャートのステップＳ１４とＳ１５との間にステップＳ２１が、またステップＳ１９とＳ２０との間にステップＳ２２が挿入される。
ステップＳ２１およびＳ２２では、分類揃部６は、制御部４に指令して給紙トレイ１０より転写紙を取出して排出トレイに搬送する。
【００３７】
このように、ステップＳ２１およびＳ２２が挿入されたことにより、図１２（Ｂ）に示すように、分類符号の異なる資料間（資料▲３▼と▲２▼および▲４▼と▲５▼）に転写紙が挿入されて分類毎の区分けが行なわれる。
つぎに、図７の動作フローチャートを参照して、本発明の第３の実施例を説明する。
【００３８】
第３の実施例では、図６で説明した第２の実施例のステップＳ２１に代えてステップＳ２１−１を、またステップＳ２２に代えてステップＳ２２−１が実行される。
ステップＳ２１−１およびＳ２２−１では、分類揃部６は、制御部４に指令して給紙トレイ１０より転写紙を取出し、取出した転写紙に分類符号をコピーして排出トレイに搬送する。
【００３９】
転写紙への分類符号のコピーは画像メモリ１に記録されている画像データの中の分類符号が記載されている所定領域を、または所定領域を拡大して画像形成させる。また図１３に示すように分類読取記録部５に記録されている分類符号に対応する符号を印字する印字パターンをＲＯＭに記録させておき、記録されている印字パターンを読出して画像形成させるようにしてもよい。
【００４０】
このようにすることによって、図１２（Ｃ）に示すように、分類符号の異なる資料間に挿入される転写紙には分類符号がコピーされることになる。
つぎに、図８の動作フローチャートを参照して、本発明の第４の実施例を説明する。
【００４１】
第４の実施例では、図４および図５で説明した第１の実施例の動作フローチャートのステップＳ１５に代えてステップＳ１５−１を実行する。
ステップＳ１５−１では、分類揃部６は画像回転部３に指定して画像メモリ１に記録されている画像データを１８０度回転（逆読出）して読出してステップＳ１６に移って画像形成させる。
【００４２】
このようにすることによって、図１２（Ｄ）に示すように、分類符号の異なる資料では文字が上下反転して排出トレイに載置されるようになる。
つぎに、図９の動作フローチャートを参照して、本発明の第５の実施例を説明する。
【００４３】
第５の実施例では、図４および図５で説明した第１の実施例の動作フローチャートのステップＳ１５に代えてステップＳ２３およびＳ１５−２を実行する。
ステップＳ２３では、分類揃部６は、収納検出部１１より、先に画像形成させた第２ｎ−１の分類符号に使用した転写紙サイズが同一で、収納方向が９０度異って収納されている給紙トレイを判定し、判定された給紙トレイより転写紙を取出す。
【００４４】
ステップＳ１５−２では、分類揃部６は、画像回転部３に指令して画像メモリ１に記録されている画像ータをスキャン部７がスキャンした主走査方向と直交する副走査方向に順次読出して９０度回転させ、ステップＳ１６で画像形成させる。
【００４５】
このようにすることによって、図１２（Ｅ）に示すように、分類符号の異なる資料では用紙の縦横交互に異なって排出トレイに搬送されて載置される。
つぎに、図１０の動作フローチャートを参照して、本発明の第６実施例を説明する。
【００４６】
第６の実施例では、図４および図５で説明した第１の実施例の動作フローチャートのステップＳ１４とＳ１５との間にステップＳ２１−２を、またステップＳ１９とＳ２０との間にステップＳ２２−２を実行する。
ステップＳ２１−２では、分類揃部６は、排出トレイ９に指令して排出トレイを横にシフトする。
【００４７】
また、ステップＳ２２−２では、ステップＳ２１−２でシフトした排出トレイをもとにもどす。
このようにすることによって、図１２（Ｆ）に示すように、分類符号の異なる資料間ではシフトして排出トレイに載置される。
【００４８】
【発明の効果】
以上説明したように、本発明によれば次の効果が得られる。
スキャンされて記録されている複数ページからなる原稿資料の画像データと対応づけて原稿に記載されている分類符号をスキャンして記録させ、画像形成時に各分類符号毎に画像データを並び替えることにより、異なる分類符号が付された原稿資料は所定の順に並び替えられるとともに、同一の分類符号が付けられた原稿資料はスキャンされた順に連続して画像形成させるようにしたので、分類符号毎に並び替えを人手で行う必要がなくなる。
【００４９】
また、分類符号が異なる資料と資料との間に転写紙を挿入するようにしたので、分類毎の仕分けを容易に行うことができる。
また、分類符号が異なる資料と資料との間に分類符号をコピーした転写紙を挿入するようにしたので、分類毎の仕分けが容易になると共に仕分けされた資料がどの分類であるかを容易に認識することができる。
【００５０】
また、分類符号の異なる資料と資料とでは画像形成を１８０度異なるようにしたので、分類毎の仕分けを容易に行うことができる。
また、分類符号の異なる資料と資料とでは画像形成を互に９０度異なるようにしたので、分類毎の仕分けを容易に行うことができる。
【００５１】
また、分類符号の異なる資料と資料とでは排出トレイを左右にシフトするようにしたので、分類毎の仕分けを容易に行うことができる。
【図面の簡単な説明】
【図１】本発明の実施例の構成図である。
【図２】同実施例の入力表示部の具体例である。
【図３】同実施例の入力表示部の液晶表示画面の具体例である。
【図４】本発明の第１の実施例の動作フローチャートである。
【図５】本発明の第１の実施例の動作フローチャートである。
【図６】本発明の第２の実施例の動作フローチャートである。
【図７】本発明の第３の実施例の動作フローチャートである。
【図８】本発明の第４の実施例の動作フローチャートである。
【図９】本発明の第５の実施例の動作フローチャートである。
【図１０】本発明の第６の実施例の動作フローチャートである。
【図１１】原稿台に載置された原稿の具体例である。
【図１２】各実施例での排出トレイに載置されるコピー原稿の説明図である。
【図１３】実施例の分類読取記録部の記録の具体例である。
【符号の説明】
１      画像メモリ
２      入力表示部
３      画像回転部
４      制御部
５      分類読取記録部
６      分類揃部
７      スキャン部
８      転写定着部
９      排出トレイ
１０    給紙トレイ
１１    収納検出部
１２    インタフェース（Ｉ／Ｏ）
１３    プロセッサ（ＣＰＵ）
【図１】
0004001650.tif 000002
【図２】
0004001650.tif 000003
【図３】
0004001650.tif 000004
【図４】
0004001650.tif 000005
【図５】
0004001650.tif 000006
【図６】
0004001650.tif 000007
【図７】
0004001650.tif 000008
【図８】
0004001650.tif 000009
【図９】
0004001650.tif 000010
【図１０】
0004001650.tif 000011
【図１１】
0004001650.tif 000012
【図１２】
0004001650.tif 000013
【図１３】
0004001650.tif 000014